(57)【要約】【課題】施工の手間を簡単にした点灯装置、照明装置、照明器具、及び照明システムを提供する。【解決手段】設定器２０は、交流電圧の導通角を調整して得た設定信号を点灯装置１に出力する。整流回路３は、設定器２０から入力された設定信号を全波整流する。ＰＷＭ信号発生回路７は、整流回路３から入力された信号の導通角に応じたデューティ比のＰＷＭ信号を発生する。平滑回路８ｃはＰＷＭ信号発生回路７から入力されるＰＷＭ信号を平滑して第１制御回路９に出力する。第１制御回路９は、平滑回路８ｃから入力される電圧信号に基づいて、導通角の調整範囲内で、第２コンバータ回路５１ａ，５１ｂの出力電力の出力曲線が極大となるか、又は、変曲点を有するように、第２コンバータ回路５１ａ，５１ｂの出力を制御する。【選択図】図１
2015092451.tif 000002
【特許請求の範囲】
【請求項１】
交流電源から入力される交流電圧の導通角を調整することによって生成した設定信号を出力する外部の設定器から前記設定信号が入力され、前記設定信号を整流、平滑して所定電圧値の直流電圧に変換する交流直流変換部と、
前記交流直流変換部から出力される直流電圧の電圧レベルを変換して、固体発光素子をそれぞれ有する複数の光源モジュールに出力する電圧変換部と、
前記設定器から前記設定信号が入力され、前記設定信号の導通角の大きさに対応したデューティ比のＰＷＭ信号を発生するＰＷＭ信号発生部と、
前記ＰＷＭ信号のデューティ比に応じて決定した指令値に基づいて前記電圧変換部の出力を制御する制御部とを備え、
前記制御部は、前記導通角の調整範囲内で、前記電圧変換部の出力電力の出力曲線が極大となるか、又は、変曲点を有するように、前記電圧変換部の出力電力を制御することを特徴とする点灯装置。
【請求項２】
交流電源から入力される交流電圧の導通角を調整することによって生成した設定信号を出力する外部の設定器から前記設定信号が入力され、前記設定信号を整流、平滑して所定電圧値の直流電圧に変換する交流直流変換部と、
前記交流直流変換部から出力される直流電圧の電圧レベルを変換して、固体発光素子をそれぞれ有する複数の光源モジュールに出力する電圧変換部と、
前記設定器から前記設定信号が入力され、前記設定信号の導通角の大きさに対応したデューティ比のＰＷＭ信号を発生するＰＷＭ信号発生部と、
前記ＰＷＭ信号のデューティ比に応じて決定した指令値に基づいて前記電圧変換部の出力を制御する制御部とを備え、
複数の前記光源モジュールは互いに発光色が異なり、複数の前記光源モジュールは、色温度が相対的に低い第１光源モジュールと、色温度が相対的に高い第２光源モジュールとを含み、
前記制御部は、前記導通角の調整範囲内で、前記導通角が増加するにつれて前記第２光源モジュールに流れる電流が漸増し、且つ、前記第１光源モジュールに流れる電流の出力曲線が極大となるか、又は、変曲点を有するように、前記電圧変換部の出力を制御することを特徴とする点灯装置。
【請求項３】
前記ＰＷＭ信号を平滑することによって前記ＰＷＭ信号のデューティ比に応じた電圧値の直流電圧を発生する平滑部を備え、
前記制御部は、前記平滑部の出力に基づいて前記指令値を決定するように構成されたことを特徴とする請求項１又は２の何れかに記載の点灯装置。
【請求項４】
時定数が互いに異なる値にそれぞれ設定された複数の前記平滑部を備え、
前記制御部は、複数の前記平滑部の出力に対して重み付けを行い、重み付けを行った複数の前記平滑部の出力から決定した指令値に基づいて前記電圧変換部の出力を制御することを特徴とする請求項３記載の点灯装置。
【請求項５】
前記制御部は、前記設定器が前記導通角を変化させていない状態では、時定数が相対的に大きい前記平滑部の出力の重み付けを、時定数が相対的に小さい前記平滑部の出力の重み付けに比べて大きくするように構成され、
前記制御部は、前記設定器が前記導通角を変化させた状態では、時定数が相対的に小さい前記平滑部の出力の重み付けを、時定数が相対的に大きい前記平滑部の出力の重み付けに比べて大きくするように構成されたことを特徴とする請求項４記載の点灯装置。
【請求項６】
前記制御部は、複数の前記平滑部の出力の差と第１閾値との大小の比較結果、及び、前記交流直流変換部の出力変動と第２閾値との大小の比較結果のうち少なくとも何れか一方の比較結果に基づいて、複数の前記平滑部の出力に対して重み付けを行うように構成されたことを特徴とする請求項４又は５の何れかに記載の点灯装置。
【請求項７】
前記制御部は、複数の前記光源モジュールによる出力光の光量が最小となる導通角で前記出力光の色温度を電球色以下の第１色温度とし、且つ、前記出力光の光量が最大となる前記導通角で前記出力光の色温度を昼白色以上の第２色温度とし、前記導通角に応じて前記第１色温度と前記第２色温度の間で出力光の色温度を変化させるように、前記電圧変換部の出力を制御することを特徴とする請求項１乃至６の何れか１項に記載の点灯装置。
【請求項８】
前記制御部は、前記出力曲線が極大となるか又は変曲点を有する導通角において、前記光源モジュールによる出力光の光色が電球色となるように、前記電圧変換部の出力を制御することを特徴とする請求項１乃至７の何れか１項に記載の点灯装置。
【請求項９】
請求項１乃至８の何れか１項に記載の点灯装置と、前記点灯装置によって点灯される前記光源モジュールを含む照明負荷とを備えたことを特徴とする照明装置。
【請求項１０】
複数の前記光源モジュールの各々は、他の前記光源モジュールと、前記固体発光素子の順方向電圧の合計値が異なることを特徴とする請求項９記載の照明装置。
【請求項１１】
複数の前記光源モジュールの各々は、他の前記光源モジュールと色温度が異なる前記固体発光素子を備えることを特徴とする請求項９記載の照明装置。
【請求項１２】
請求項９乃至１１の何れか１項に記載の照明装置と、前記照明負荷が取り付けられる器具本体とを備えたことを特徴とする照明器具。
【請求項１３】
請求項１２記載の照明器具と、
操作部を有し、前記操作部の操作に応じて交流電源から入力される交流電圧の導通角を調整することによって生成した設定信号を前記照明器具に出力する前記設定器とを備えたことを特徴とする照明システム。
【請求項１４】
前記操作部は前記設定器の本体に回転自在に設けられ、
前記操作部には操作位置を示す印が設けられ、
前記本体が壁に取り付けられた状態で、前記印が上側になる位置に前記操作部を回転させた状態で、前記出力曲線が極大となるか又は変曲点を有するように前記制御部が前記電圧変換部の出力を制御することを特徴とする請求項１３記載の照明システム。
【請求項１５】
前記操作部は前記設定器の本体にスライド移動自在に設けられ、
前記操作部には操作位置を示す印が設けられ、
前記印が前記操作部の調整範囲における中央位置になるように前記操作部が操作された状態で、前記出力曲線が極大となるか又は変曲点を有するように前記制御部が前記電圧変換部の出力を制御することを特徴とする請求項１３記載の照明システム。
【請求項１６】
前記操作部は、前記設定器の本体に設けられたアップ操作用の第１ボタンとダウン操作用の第２ボタンを含み、
導通角の設定値をレベル表示する表示部を備え、
前記表示部の表示位置が表示範囲における中央位置になるように前記操作部を操作した状態で、前記出力曲線が極大となるか又は変曲点を有するように前記制御部が前記電圧変換部の出力を制御することを特徴とする請求項１３記載の照明システム。
【発明の詳細な説明】
【技術分野】
【０００１】
本発明は、点灯装置、照明装置、照明器具、及び照明システムに関し、より詳細には、光量又は色温度を調整可能な点灯装置、照明装置、照明器具、及び照明システムに関する。
【背景技術】
【０００２】
従来、コントローラから入力される調光信号に応じて、互いに発光色が異なる複数の発光素子の光量をそれぞれ調整することで、照明光の光色および光量を調整する電源ユニットを備えた点灯装置が提案されている（例えば特許文献１参照）。
【０００３】
特許文献１に記載された電源ユニットは、２本の電線を介して交流電源に接続され、これら２本の電線を介して電源が供給されている。また、電源ユニットは、別の２本の電線を介してコントローラに接続されている。コントローラは、回転自在に設けられた操作部の操作に応じた制御信号を電源ユニットに出力する。電源ユニットは、コントローラから入力される制御信号に応じて、各発光素子の光量をそれぞれ制御することで、出力光の光色および光量を調整する。
【先行技術文献】
【特許文献】
【０００４】
【特許文献１】特開２０１３−１６８３８２号公報
【発明の概要】
【発明が解決しようとする課題】
【０００５】
特許文献１に記載された点灯装置では、交流電源に接続するための２本の電線と、コントローラに接続するための２本の電線とを含めた合計４本の電線が電源ユニットに接続されていた。
【０００６】
ところで、既存の住宅や施設において、白熱灯を調光するために位相制御式の調光器が設置されている場合、調光器と白熱灯の間は２本の電線で接続されている。このような、白熱灯と調光器の代わりに、発光ダイオードと上述の点灯装置を使用する場合、位相制御式の調光器と白熱灯の間は２本の電線のみで接続されているため、調光信号のための２本の電線を追加で配線する必要があった。既存の住宅や施設に、電線を追加で配線しようとすると、壁の裏側に電線を通す必要があるため、配線工事に手間がかかるという問題があった。
【０００７】
本発明は上記課題に鑑みて為され、施工の手間を簡単にした点灯装置、照明装置、照明器具、及び照明システムを提供することを目的とする。
【課題を解決するための手段】
【０００８】
本発明の点灯装置は、交流直流変換部と、電圧変換部と、ＰＷＭ信号発生部と、制御部とを備える。前記交流直流変換部は、交流電源から入力される交流電圧の導通角を調整することによって生成した設定信号を出力する外部の設定器から前記設定信号が入力され、前記設定信号を整流、平滑して所定電圧値の直流電圧に変換する。前記電圧変換部は、前記交流直流変換部から出力される直流電圧の電圧レベルを変換して、固体発光素子をそれぞれ有する複数の光源モジュールに出力する。前記ＰＷＭ信号発生部は、前記設定器から前記設定信号が入力され、前記設定信号の導通角の大きさに対応したデューティ比のＰＷＭ信号を発生する。前記制御部は、前記ＰＷＭ信号のデューティ比に応じて決定した指令値に基づいて前記電圧変換部の出力を制御する。前記制御部は、前記導通角の調整範囲内で、前記電圧変換部の出力電力の出力曲線が極大となるか、又は、変曲点を有するように、前記電圧変換部の出力電力を制御することを特徴とする。
【０００９】
また、本発明の点灯装置は、交流直流変換部と、電圧変換部と、ＰＷＭ信号発生部と、制御部とを備える。前記交流直流変換部は、交流電源から入力される交流電圧の導通角を調整することによって生成した設定信号を出力する外部の設定器から前記設定信号が入力され、前記設定信号を整流、平滑して所定電圧値の直流電圧に変換する。前記電圧変換部は、前記交流直流変換部から出力される直流電圧の電圧レベルを変換して、固体発光素子をそれぞれ有する複数の光源モジュールに出力する。前記ＰＷＭ信号発生部は、前記設定器から前記設定信号が入力され、前記設定信号の導通角の大きさに対応したデューティ比のＰＷＭ信号を発生する。前記制御部は、前記ＰＷＭ信号のデューティ比に応じて決定した指令値に基づいて前記電圧変換部の出力を制御する。複数の前記光源モジュールは互いに発光色が異なり、複数の前記光源モジュールは、色温度が相対的に低い第１光源モジュールと、色温度が相対的に高い第２光源モジュールとを含む。前記制御部は、前記導通角の調整範囲内で、前記導通角が増加するにつれて前記第２光源モジュールに流れる電流が漸増し、且つ、前記第１光源モジュールに流れる電流の出力曲線が極大となるか、又は、変曲点を有するように、前記電圧変換部の出力を制御する。
【００１０】
本発明の照明装置は、上述の点灯装置と、前記点灯装置によって点灯される前記光源モジュールを含む照明負荷とを備えたことを特徴とする。
【００１１】
本発明の照明器具は、上述の照明装置と、前記照明負荷が取り付けられる器具本体とを備えたことを特徴とする。
【００１２】
本発明の照明システムは、上述の照明器具と、設定器とを備えたことを特徴とする。前記設定器は、操作部を有し、前記操作部の操作に応じて交流電源から入力される交流電圧の導通角を調整することによって生成した設定信号を前記照明器具に出力する。
【発明の効果】
【００１３】
本発明によれば、施工の手間を簡単にした点灯装置、照明装置、照明器具、及び照明システムを提供することができる。
【図面の簡単な説明】
【００１４】
【図１】実施形態１の点灯装置の概略的なブロック回路図である。
【図２】実施形態１の点灯装置の調光・調色特性を説明する説明図である。
【図３】実施形態１の点灯装置の動作を説明する波形図である。
【図４】実施形態１の点灯装置の動作を説明する波形図である。
【図５】実施形態１の点灯装置の動作を説明する波形図である。
【図６】実施形態１の点灯装置の動作を説明する波形図である。
【図７】実施形態１の点灯装置に用いられる設定器の説明図である。
【図８】実施形態２の点灯装置の概略的なブロック回路図である。
【図９】実施形態２の点灯装置の調光・調色特性を説明する説明図である。
【図１０】実施形態２の点灯装置の動作を説明する波形図である。
【図１１】実施形態２の点灯装置の動作を説明する波形図である。
【図１２】実施形態２の点灯装置の動作を説明する説明図である。
【図１３】実施形態２の点灯装置の動作を説明する波形図である。
【図１４】実施形態２の点灯装置の別の回路構成を示した概略的なブロック回路図である。
【図１５】実施形態２の点灯装置の動作を説明する波形図である。
【図１６】実施形態２の照明器具の概略的な断面図である。
【発明を実施するための形態】
【００１５】
以下に本発明の実施の形態を図面に基づいて説明する。
（実施形態１）
実施形態１の点灯装置、及び、それを用いた照明装置、照明器具並びに照明システムについて図１〜図７を参照して説明する。
【００１６】
本実施形態の点灯装置１は、図１に示すように、交流直流変換部２と、第２コンバータ回路５１ａ，５１ｂと、ＰＷＭ信号発生回路７と、平滑回路８ｃと、第１制御回路９とを備える。
【００１７】
また、本実施形態の点灯装置１は、第１電源回路１０と、起動回路１１と、第２制御回路１２と、第２電源回路１３と、フィルタ回路１４と、ドライブ回路５２ａ，５２ｂを、さらに備え、光源モジュール６ａ，６ｂを点灯させる。
【００１８】
フィルタ回路１４の入力側には、設定器２０を介して、ＡＣ１００Ｖの交流電源１００が接続されている。フィルタ回路１４の出力側には整流回路３が接続されている。
【００１９】
本実施形態の点灯装置１は２種類の光源モジュール６ａ，６ｂを点灯させる。
【００２０】
光源モジュール６ａは、それぞれ暖色系の光（例えば色温度が約２０００Ｋの光）を発光する複数個の発光ダイオード６１を備える。これら複数個の発光ダイオード６１は直列又は並列に接続されている。
【００２１】
光源モジュール６ｂは、それぞれ寒色系の光（例えば色温度が約８０００Ｋの光）を発光する複数個の発光ダイオード６２を備える。これら複数個の発光ダイオード６２は直列又は並列に接続されている。
【００２２】
本実施形態では、光源モジュール６ａを構成する複数個の発光ダイオード６１と、光源モジュール６ｂを構成する複数個の発光ダイオード６２とが同一の基板に実装され、この基板がユニットに内蔵されて、モジュール化されている。なお、複数個の発光ダイオード６１をケース（図示せず）に内蔵することで光源モジュール６ａとしてモジュール化し、複数個の発光ダイオード６２を別のケース（図示せず）に内蔵することで光源モジュール６ｂとしてモジュール化してもよい。
【００２３】
本実施形態では、光源モジュール６ａと光源モジュール６ｂとで照射光の色温度が互いに異なっている。そして、相対的に色温度が低い暖色系の光源モジュール６ａからの照射光と、相対的に色温度が高い寒色系の光源モジュール６ｂからの照射光とを混色した光（混色光）が照射される。光源モジュール６ａと光源モジュール６ｂとは、発光色が異なる固体発光素子を備えているが、発光色が同じ固体発光素子に蛍光体を重ねることで色温度を異ならせた光源を備えてもよい。なお、本実施形態では光源モジュール６ａ，６ｂがそれぞれ発光ダイオードを備えているが、有機ＥＬ（Electro Luminescence）や無機ＥＬなどの固体発光素子を備えてもよい。
【００２４】
設定器２０は、光源モジュール６ａからの照射光と光源モジュール６ｂからの照射光とを混色した光（混色光）の光量及び色温度を、ユーザが設定するために用いられる。設定器２０は、交流電源１００と直列に接続されたサイリスタなどのスイッチング素子（図示せず）と、交流電源電圧の半周期ごとにスイッチング素子を導通させる位相角をユーザが設定するための設定ボリューム（図示せず）を備える。
【００２５】
設定器２０は、交流電源電圧の半周期ごとに、設定ボリュームにより設定された位相角がくると、スイッチング素子を導通させ、次のゼロクロスまでスイッチング素子の導通状態を継続させることで、交流電源１００から点灯装置１に電力を供給させている。したがって、交流電源電圧のゼロクロスから設定ボリュームで設定された位相角がくるまでは、交流電源１００から点灯装置１に電力が供給されなくなり、正弦波形の一部をカットしたような交流電圧が生成される。このように、交流電源１００から点灯装置１に入力される交流電圧の導通角を調整することによって生成された設定信号が、設定器２０から点灯装置１に出力される。本実施形態の点灯装置１では、設定信号の導通角に応じて混色光の光量及び色温度を変化させており、図２に示すような調色・調光カーブにしたがって調光及び調色を行う。設定信号の導通角が最小値θ１の場合は光源モジュール６ａ，６ｂは調光下限で点灯する。なお、設定信号の導通角が最小値θ１の場合に光源モジュール６ａ，６ｂが消灯してもよい。設定信号の導通角が最小値θ１からθ２までの間は導通角の増減に応じて調色・調光が行われる。導通角がθ２になると混色光は色温度が２８００Ｋ（第１色温度）の光（電球色の光）になり、導通角が最大値θ３になると混色光は色温度が５０００Ｋ（第２色温度）の光（昼白色の光）になる。なお、導通角とは、設定器２０が備えるスイッチング素子が導通している位相角の範囲を意味する。
【００２６】
交流直流変換部２は、設定器２０から入力される設定信号を整流、平滑して、所定電圧値の直流電圧に変換する。本実施形態の交流直流変換部２は、設定器２０から入力される交流電圧を全波整流する整流回路３と、整流回路３の出力を平滑する第１コンバータ回路４とを備える。
【００２７】
整流回路３は例えばダイオードブリッジ回路で構成される。整流回路３は、フィルタ回路１４を介して入力される交流電圧（調光信号）を全波整流して出力する。
【００２８】
第１コンバータ回路４は、例えばフライバック・コンバータのようなスイッチング電源からなる。第１コンバータ回路４は、整流回路３から出力される電圧信号Ｖ１を、スイッチング素子（図示せず）でスイッチングすることによって、所定電圧値の直流電圧Ｖ２に変換する。なお、第１コンバータ回路４が、光源モジュール６ａ，６ｂに流れる電流を直接制御してもよい。
【００２９】
第１コンバータ回路４の出力電圧Ｖ２は、第２制御回路１２にフィードバックされている。第２制御回路１２は、フィードバックされた出力電圧Ｖ２が予め設定された電圧値に一致するように、第１コンバータ回路４が備えるスイッチング素子（図示せず）のオン／オフを制御する。この第２制御回路１２には第１電源回路１０から動作に必要な電力が供給される。
【００３０】
第１電源回路１０には、フライバック・コンバータからなる第１コンバータ回路４の一次側又は二次側から直流電圧が供給される。第１電源回路１０は、第１コンバータ回路４から供給される直流電圧を、電圧レベルが一定の直流電圧に変換して、第２制御回路１２に出力する。
【００３１】
起動回路１１は、例えば整流回路３から出力される電圧信号Ｖ１が一定レベルを超えると、第１電源回路１０を起動して、電圧変換動作を開始させる。
【００３２】
第２コンバータ回路５１ａ，５１ｂ（電圧変換部）はそれぞれスイッチング電源（例えばフォワードコンバータ或いはバックコンバータ）からなり、第１コンバータ回路４の出力端に並列的に接続されている。第２コンバータ回路５１ａの出力端には光源モジュール６ａが接続され、第２コンバータ回路５１ｂの出力端には光源モジュール６ｂが接続されている。
【００３３】
第２コンバータ回路５１ａと、第２コンバータ回路５１ａが備えるスイッチング素子（図示せず）を駆動するドライブ回路５２ａとで、光源モジュール６ａを点灯させる点灯回路５ａが構成される。ドライブ回路５２ａは、第１制御回路９から入力される駆動信号に応じてスイッチング素子をオン／オフさせ、第２コンバータ回路５１ａから光源モジュール６ａに駆動信号に応じた出力電流が流れるように、第２コンバータ回路５１ｂの出力を制御する。
【００３４】
また、第２コンバータ回路５１ｂと、第２コンバータ回路５１ｂが備えるスイッチング素子（図示せず）を駆動するドライブ回路５２ｂとで、光源モジュール６ｂを点灯させる点灯回路５ｂが構成される。ドライブ回路５２ｂは、第１制御回路９から入力される駆動信号に応じてスイッチング素子をオン／オフさせ、第２コンバータ回路５１ｂから光源モジュール６ｂに駆動信号に応じた出力電流が流れるように、第２コンバータ回路５１ｂの出力を制御する。
【００３５】
第１制御回路９は例えばマイクロコンピュータ（ルネサスエレクトロニクス株式会社製のＲＬ７８／Ｉ１Ａなど）を用いて実現される。第１制御回路９は、設定器２０から点灯装置１に入力される調光信号に応じて、第２コンバータ回路５１ａ，５１ｂがそれぞれ備えるスイッチング素子のオン／オフを制御することによって、光源モジュール６ａ，６ｂに供給される電力をそれぞれ制御する。第１制御回路９には、第２電源回路１３から動作に必要な電力が供給される。
【００３６】
設定器２０から点灯装置１に入力された設定信号は、整流回路３によって全波整流された後にＰＷＭ信号発生回路７に入力される。
【００３７】
ＰＷＭ信号発生回路７（ＰＷＭ信号発生部、第１信号発生部）は、電圧信号Ｖ１と所定の基準値との高低を比較する。この基準値は、電圧信号Ｖ１がゼロか否かを検出するために用いられる基準値であり、ノイズレベルよりもやや大きい所定の電圧値に設定されている。ＰＷＭ信号発生回路７は、電圧信号Ｖ１が上記の基準値を超えると、出力の電圧レベルをＬレベルからＨレベルに切り替え、電圧信号Ｖ１が基準値以下になると、出力の電圧レベルをＨレベルからＬレベルに切り替える。したがって、ＰＷＭ信号発生回路７から出力されるＰＷＭ信号Ｖ３は、設定器２０のスイッチング素子が導通している位相角の範囲（導通角）ではＨレベルとなり、設定器２０のスイッチング素子が非導通となっている位相角の範囲（非導通角）ではＬレベルとなる。よって、ＰＷＭ信号発生回路７は、設定器２０から入力される設定信号の導通角に対応したデューティ比のＰＷＭ信号Ｖ３を出力する。
【００３８】
ＰＷＭ信号発生回路７から出力されるＰＷＭ信号Ｖ３は平滑回路８ｃ（平滑部、第２信号発生部）に入力される。
【００３９】
平滑回路８ｃ（平滑部、第２信号発生部）は、例えばＰＷＭ信号発生回路７の出力端子と回路のグランドとの間に抵抗器とコンデンサとを直列に接続したＲＣ積分回路（図示せず）で構成され、コンデンサの両端にはＰＷＭ信号Ｖ３を平滑した電圧が発生する。したがって、平滑回路８ｃは、ＰＷＭ信号Ｖ３のデューティ比に応じた電圧値の直流電圧Ｖ６を発生し、この直流電圧Ｖ６を第１制御回路９に出力する。
【００４０】
第１制御回路９は、平滑回路８ｃの出力電圧Ｖ６をそれぞれＡ／Ｄ変換して取り込むＡ／Ｄ変換部（図示せず）を備え、所定のタイミングで出力電圧Ｖ６をＡ／Ｄ変換することにより、調光信号の指令値を取り込む。なお、本実施形態ではＰＷＭ信号Ｖ３を平滑した直流電圧Ｖ６が第１制御回路９に入力されているが、第１制御回路９が、ＰＷＭ信号Ｖ３のデューティ比を直接読み取ってもよい。
【００４１】
第１制御回路９は、出力電圧Ｖ６をＡ／Ｄ変換して得た調光信号と、ドライブ回路５２ａ，５２ｂにそれぞれ出力する駆動信号（ＰＷＭ信号からなる）のデューティ比との対応関係を規定した対応表をメモリ（図示せず）に予め記憶させている。
【００４２】
第１制御回路９は、出力電圧Ｖ６をＡ／Ｄ変換して得た調光信号をもとに、対応表からドライブ回路５２ａ，５２ｂにそれぞれ出力する駆動信号のデューティ比を決定し、決定したデューティ比の駆動信号をドライブ回路５２ａ，５２ｂに出力する。ドライブ回路５２ａは、第１制御回路９から入力された駆動信号に応じて第２コンバータ回路５１ａのスイッチング素子を駆動する。ドライブ回路５２ｂは、第１制御回路９から入力された駆動信号に応じて第２コンバータ回路５１ｂのスイッチング素子を駆動する。これにより、第２コンバータ回路５１ａ，５１ｂの出力が個別に制御され、光源モジュール６ａ，６ｂの光出力が変化する。本実施形態では、発光色の色温度が異なる光源モジュール６ａ，６ｂの光出力を個別に変化させ、各光源モジュール６ａ，６ｂの出力光を混色させることで、図２に示す調光・調色カーブにしたがった出力光を照射させる。なお、図２に示す調光・調色カーブにおいて、光量が０％から９０％までの調光・調色カーブは、白熱灯の場合の調光カーブに一致するように設定されている。
【００４３】
この点灯装置１の動作について説明する。
【００４４】
設定器２０は、交流電源電圧の半周期ごとに、交流電源１００と直列に接続されたスイッチング素子を、設定ボリュームによって設定された任意の位相角でオンさせることによって、正弦波形の一部がカットされたような交流電圧を生成し、点灯装置１に出力する。
【００４５】
点灯装置１では、整流回路３が設定器２０からの入力電圧を全波整流し、第１コンバータ回路４が整流回路３の整流出力を平滑して得た直流電圧Ｖ２を第２コンバータ回路５１ａ，５１ｂに出力する。
【００４６】
また、ＰＷＭ信号発生回路７が、整流回路３の出力電圧Ｖ１を所定の基準値と比較することで、設定器２０から入力される設定信号の導通角に応じたデューティ比のＰＷＭ信号を発生する。ＰＷＭ信号発生回路７から出力されるＰＷＭ信号Ｖ３は平滑回路８ｃによって平滑され、平滑回路８ｃの出力電圧Ｖ６が第１制御回路９に入力される。第１制御回路９は、平滑回路８ｃの出力電圧Ｖ６をもとに、メモリに予め記憶された対応表を参照して、ドライブ回路５２ａ，５２ｂにそれぞれ出力する駆動信号のデューティ比を決定する。第１制御回路９は、ドライブ回路５２ａ，５２ｂにそれぞれ駆動信号を出力して、第２コンバータ回路５１ａ，５１ｂの出力を制御することで、光源モジュール６ａ，６ｂに所望の電流を供給して、光源モジュール６ａ，６ｂを点灯させる。なお、第１制御回路９は、ＰＷＭ信号Ｖ３のデューティ比を直接読み取り、このデューティ比に応じて、ドライブ回路５２ａ，５２ｂにそれぞれ出力する駆動信号のデューティ比（指令値）を決定してもよく、この場合は平滑回路８ｃは不要になる。
【００４７】
次に、点灯装置１が光源モジュール６ａ，６ｂを調色・調光する動作について説明する。一般的に調色照明を行う場合、照明空間の全体を照明する照明光として電球色と昼白色が推奨されており、電球色で照明する場合も昼白色で照明する場合も照明空間を十分な明るさで照明するために、所定の光出力が必要になる。電球色で照明する場合と昼白色で照明する場合で明るさを同程度にしたい場合、電球色で照明する場合は昼白色で照明する場合に比べて暗めに感じられるため、電球色で照明する場合の方がより高い電流を流す必要がある。また、調光レベルを調光下限まで低下させる間は電球色で調光するのが好ましい。なお、ＪＩＳ  Ｚ  ９１１２「蛍光ランプ・ＬＥＤの光源色及び演色性による区分」にはＬＥＤの光源色である電球色および昼白色の色度範囲がｘｙ色度図上において定義されている。電球色の相関色温度は２６００〜３２５０Ｋ、昼白色の相関色温度は４６００〜５５００Ｋとなっている。本実施形態では光源モジュール６ａの発光の色温度は電球色よりも低く、光源モジュール６ｂの発光の色温度は昼白色よりも高くなっており、両者の混色比を調整することで電球色や昼白色の発光を得ている。
【００４８】
図３は、設定器２０による導通角と、光源モジュール６ａに流す電流Ｉ１、光源モジュール６ｂに流す電流Ｉ２、第２コンバータ回路５１ａ，５１ｂの出力電力の合計Ｐ１との関係をそれぞれ示すグラフである。
【００４９】
本実施形態の点灯装置１は、導通角が最大値θ３となる場合（すなわち導通角の調整範囲における上限）では照明光（光源モジュール６ａ，６ｂの出力光の混色光）を昼白色とし、導通角の調整範囲の途中から下限にかけて電球色で調光する。
【００５０】
そして、点灯装置１は、導通角の調整範囲の途中で出力電力の合計値Ｐ１が極大となるように、第２コンバータ回路５１ａ，５１ｂの出力を制御しており、出力電力の合計値Ｐ１が極大となる状態では電球色で点灯させている。本実施形態の点灯装置１を用いた照明装置では、暖色系の光源モジュール６ａと寒色系の光源モジュール６ｂとを用い、暖色系の光源モジュール６ａに流れる電流と、寒色系の光源モジュール６ｂに流れる電流との比率（電流比）で調色を行っている。また、電球色での照明と昼白色での照明とで同程度の明るさが得られるように、電球色で照明する場合は、昼白色で照明する場合よりも高い電流を流している。
【００５１】
したがって、導通角の調整範囲の下限から上限にかけて光量が増加するように、点灯装置１は、寒色系の光源モジュール６ｂに流れる電流Ｉ２を単調増加させている。また、点灯装置１は、導通角の調整範囲の下限から暖色系の光源モジュール６ａに流れる電流Ｉ１を徐々に増加させ、出力電力の合計値Ｐ１が極大となる導通角で電流値が極大となるように電流Ｉ１を調整している。
【００５２】
図４は、設定器２０が備える操作部２２の操作位置と、設定器２０から入力される設定信号Ｖ１と、ＰＷＭ信号Ｖ３と、平滑回路８ｃの出力電圧Ｖ６との関係をそれぞれ示している。また図５は、設定器２０が備える操作部２２の操作位置と、設定信号Ｖ１と、第２コンバータ回路５１ａ，５１ｂの出力電力の合計値Ｐ１との関係をそれぞれ示している。
【００５３】
図４及び図５に示す設定器２０は、設定器２０の本体２１に回転自在に取り付けられた操作部２２を備えている。操作部２２は円柱状の摘みからなり、その表面には操作位置を示す印２３が刻印、印刷などの適宜の方法で形成されている。操作部２２は、印２３が真上を向いた位置を０度として、反時計回りに１８０度回転した位置から、時計回りに９０度回転した位置まで回転できるように構成されている。なお、操作部２２の操作角度範囲は一例であり、適宜変更が可能である。
【００５４】
操作部２２を回転させることによって印２３を反時計回りに１８０度回転した位置に合わせた状態では、設定器２０から入力される設定信号Ｖ１の導通角は最小となり、ＰＷＭ信号Ｖ３のオンデューティ比、出力電圧Ｖ６も最小となる。第１制御回路９は、出力電圧Ｖ６をもとに第２コンバータ回路５１ａ，５１ｂに出力する駆動信号のデューティ比を決定しており、光源モジュール６ａ，６ｂを調光下限で点灯させるか又は消灯させる。
【００５５】
印２３が反時計回りに１８０度回転した位置から操作部２２を時計回りに回転させると、設定信号Ｖ１の導通角は増加し、それに応じて、ＰＷＭ信号Ｖ３のオンデューティ比、出力電圧Ｖ６も大きくなる。第１制御回路９は、出力電圧Ｖ６をもとに第２コンバータ回路５１ａ，５１ｂに出力する駆動信号のデューティ比を決定しており、導通角の増加に応じて出力電力の合計値Ｐ１を増加させて、調色及び調光を行う。
【００５６】
操作部２２を回転させることによって印２３を０度の位置に合わせた状態では、設定信号Ｖ１の導通角に応じた出力電圧Ｖ６が第１制御回路９に入力される。第１制御回路９は、出力電圧Ｖ６をもとに第２コンバータ回路５１ａ，５１ｂに出力する駆動信号のデューティ比を決定しており、光源モジュール６ａ，６ｂに流れる電流を制御して、照明光を電球色に調色する。このとき、第２コンバータ回路５１ａ，５１ｂの出力電力の合計値Ｐ１は極大となる。
【００５７】
操作部２２を回転させることによって印２３を時計回りに９０度回転した位置に合わせた状態では、設定信号Ｖ１の導通角は最大になり、それに応じて、ＰＷＭ信号Ｖ３のオンデューティ比、出力電圧Ｖ６も最大になる。この場合、第１制御回路９は、出力電圧Ｖ６をもとに第２コンバータ回路５１ａ，５１ｂに出力する駆動信号のデューティ比を決定しており、出力電力の合計値Ｐ１が極大値から減少して、照明光が昼白色に調色される。
【００５８】
このように、設定器２０では、照明光が電球色となる位置を、印２３が真上に来る位置に設定しているので、電球色で点灯させる位置が判りやすくなる。また、設定器２０では、操作部２２の調整範囲における一端側を調光下限の位置、操作部２２の調整範囲における他端側を昼白色で点灯させる位置としている。これにより、ユーザは、調光下限での操作部２２の操作位置、電球色で点灯させる際の操作部２２の操作位置、昼白色で点灯させる際の操作部２２の操作位置が判りやすくなる。
【００５９】
ところで、本実施形態の点灯装置１を用いた照明装置では、光源モジュール６ａ，６ｂの出力光を混色した照明光の色温度を電球色から昼白色の間で変化させているが、電球色から、昼白色よりも色温度の高い昼光色の間で変化させてもよい。なお、ＪＩＳ  Ｚ  ９１１２「蛍光ランプ・ＬＥＤの光源色及び演色性による区分」には昼光色の色度範囲がｘｙ色度図上において定義されており、昼光色の相関色温度は５７００〜７１００Ｋとなっている。一般的に６２００Ｋ付近の色温度では文字が見えやすくなるという効果が知られているので、点灯装置１が混色光の色温度を電球色から昼光色の間で変化させることも好ましい。
【００６０】
図６は、設定器２０が備える操作部２４の操作位置と、設定信号Ｖ１と、第２コンバータ回路５１ａ，５１ｂの出力電力の合計値Ｐ１と、光源モジュール６ａに流す電流Ｉ１と、光源モジュール６ｂに流す電流Ｉ２との関係を示すグラフである。
【００６１】
図６に示す設定器２０は、設定器２０の本体２１にスライド移動自在に取り付けられた操作部２４を備えている。操作部２４は前方に突出する突起２５を有し、この突起２５を図４中の上下方向においてスライド移動させることによって、設定信号Ｖ１の導通角が変化するように構成されている。
【００６２】
図６に示すように、操作部２４を操作することによって突起２５を調整範囲の一端側の位置（図６における下端位置）に位置させた場合、設定信号Ｖ１の導通角は最小値θ１となり、第１制御回路９は光源モジュール６ａ，６ｂを調光下限で点灯させる。なお、設定信号の導通角が最小値θ１の場合に、第１制御回路９は光源モジュール６ａ，６ｂを消灯させてもよい。
【００６３】
突起２５が調整範囲の一端側（図６における下端位置）から中間位置までの間では、突起２５の操作位置に応じて導通角が増減し、それに応じて調色・調光が行われる。
【００６４】
操作部２４を操作することによって突起２５を調整範囲の中間位置（図６における上下方向の中間位置）に位置させた場合、設定信号Ｖ１の導通角はθ２となり、第１制御回路９は、出力電力の合計値Ｐ１が極大となるように第２コンバータ回路５１ａ，５１ｂを制御する。このとき、光源モジュール６ａに流れる電流Ｉ１は極大となり、混色光は色温度が２８００Ｋ（電球色）の光になる。
【００６５】
操作部２４を操作することによって突起２５を調整範囲の他端位置（図６における上端位置）に位置させた場合、設定信号Ｖ１の導通角はθ３となる。第１制御回路９は、設定信号Ｖ１の導通角がθ２とθ３の間で、出力電力の合計値Ｐ１の変化曲線が変曲点を有するように第２コンバータ回路５１ａ，５１ｂを制御する。これにより、設定信号Ｖ１の導通角が変曲点からθ３まで変化する間は、導通角の増加に応じて出力電力の合計値Ｐ１も増加し、導通角がθ３になると混色光の色温度は６２００Ｋとなり、昼光色の光が出力される。
【００６６】
したがって、第２コンバータ回路５１ａ，５１ｂの出力電力の合計値Ｐ１は、図６に示すような変化曲線を有し、色温度が２８００Ｋとなるような導通角θ２で第１の変曲点を持ち、色温度が５０００Ｋとなるような導通角で第２の変曲点を持つような特性となる。
【００６７】
なお、操作部２４は回転式やスライド式の操作部に限定されない。例えば図７に示すように、導通角を増大させるアップ操作用の第１ボタン２６と、導通角を減少させるダウン操作用の第２ボタン２７と、導通角の設定を表示するレベルメータのような表示部２８を備えた操作部でもよい。
【００６８】
以上説明したように、本実施形態の点灯装置１は、交流直流変換部２と、電圧変換部（第２コンバータ回路５１ａ，５１ｂ）と、ＰＷＭ信号発生部（ＰＷＭ信号発生回路７）と、制御部（第１制御回路９）とを備える。交流直流変換部２は、交流電源１００から入力される交流電圧の導通角を調整することによって生成した設定信号を出力する外部の設定器２０から設定信号が入力され、設定信号を整流、平滑して所定電圧値の直流電圧に変換する。電圧変換部は、交流直流変換部２から出力される直流電圧の電圧レベルを変換して、固体発光素子をそれぞれ有する複数の光源モジュール６ａ，６ｂに出力する。ＰＷＭ信号発生部は、設定器２０から設定信号が入力され、設定信号の導通角の大きさに対応したデューティ比のＰＷＭ信号を発生する。制御部は、ＰＷＭ信号のデューティ比に応じて決定した指令値に基づいて電圧変換部の出力を制御する。そして、制御部は、導通角の調整範囲内で、電圧変換部の出力電力の出力曲線が極大となるか、又は、変曲点を有するように、電圧変換部の出力電力を制御する。
【００６９】
このように、点灯装置１は、導通角の調整範囲内で出力電力の出力曲線が極大となるか変曲点を有するように出力電力を制御している。したがって、設定器２０で導通角を調整することによって、調光下限から電球色で点灯する状態と昼白色又は昼光色で点灯する状態とに切り替えることができる。よって、設定器２０から点灯装置１に設定信号を入力するだけで、光源モジュール６ａ，６ｂの調光、調色を行うことができ、設定器２０と点灯装置１の間は２線で接続できるから、追加の配線が不要で、施工作業を容易に出来る。
【００７０】
また本実施形態の点灯装置１では、複数の光源モジュール６ａ，６ｂは互いに発光色が異なっている。複数の光源モジュール６ａ，６ｂは、色温度が相対的に低い第１光源モジュール（光源モジュール６ａ）と、色温度が相対的に高い第２光源モジュール（光源モジュール６ｂ）とを含む。そして、制御部は、導通角の調整範囲内で、導通角が増加するにつれて第２光源モジュールに流れる電流が漸増し、且つ、第１光源モジュールに流れる電流の出力曲線が極大となるか、又は、変曲点を有するように、電圧変換部の出力を制御する。
【００７１】
このように、点灯装置１は、導通角の調整範囲内で、色温度が相対的に低い第１光源モジュールに流れる電流の出力曲線が極大となるか変曲点を有するように、電圧変換部の出力が制御されている。したがって、設定器２０で導通角を調整することによって、調光下限から電球色で点灯する状態と昼白色又は昼光色で点灯する状態とに切り替えることができる。よって、設定器２０から点灯装置１に設定信号を入力するだけで、光源モジュール６ａ，６ｂの調光、調色を行うことができ、設定器２０と点灯装置１の間は２線で接続できるから、追加の配線が不要で、施工作業を容易に出来る。
【００７２】
また、本実施形態の点灯装置１において、ＰＷＭ信号Ｖ３を平滑することによってＰＷＭ信号Ｖ３のデューティ比に応じた電圧値の直流電圧を発生する平滑部（平滑回路８ｃ）を備え、制御部（第１制御回路９）は、平滑部の出力に基づいて指令値を決定してもよい。制御部は、ＰＷＭ信号Ｖ３のデューティ比に応じた電圧値となる平滑部の出力に基づいて指令値を決定しているので、ＰＷＭ信号Ｖ３のデューティ比に応じて指令値を決定することができる。
【００７３】
また、本実施形態の点灯装置１において、制御部（第１制御回路９）は、複数の光源モジュール６ａ，６ｂによる出力光の光量が最小となる導通角で出力光の色温度を電球色以下の第１色温度としてもよい。制御部は、複数の光源モジュール６ａ，６ｂによる出力光の光量が最大となる導通角で出力光の色温度を昼白色以上の第２色温度としてもよい。そして、制御部は、導通角に応じて第１色温度と第２色温度の間で出力光の色温度を変化させるように、電圧変換部の出力を制御してもよい。
【００７４】
これにより、制御部は、設定器２０によって調整される導通角に応じて、出力光（光源モジュール６ａ，６ｂの出力光を混色した光）の色温度を、第１色温度と第２色温度の間で変化させることができる。
【００７５】
また、本実施形態の点灯装置１において、制御部（第１制御回路９）は、出力曲線が極大となるか又は変曲点を有する導通角において、光源モジュール６ａ，６ｂによる出力光の光色が電球色となるように、電圧変換部の出力を制御してもよい。
【００７６】
これにより、調光下限から電球色で点灯する状態と昼白色又は昼光色で点灯する状態とに切り替えることができる。
【００７７】
また、本実施形態の照明装置は、上述した点灯装置１と、点灯装置１によって点灯される光源モジュール６ａ，６ｂを含む照明負荷とを備える。上述の点灯装置１を備えることで、追加の配線が不要で、施工作業が容易な照明装置を実現できる。
【００７８】
また、本実施形態の照明器具は、上述の照明装置と、照明負荷（光源モジュール６ａ，６ｂ）が取り付けられる器具本体（第１ケース３１）とを備える。上述の照明装置を備えることで、追加の配線が不要で、施工作業が容易な照明器具を実現できる。
【００７９】
また、本実施形態の照明システムは、上述の照明器具と、操作部２２，２４を有し、操作部２２，２４の操作に応じて交流電源から入力される交流電圧の導通角を調整することによって生成した設定信号を照明器具に出力する設定器２０とを備える。上述の照明器具を備えることで、追加の配線が不要で、施工作業が容易な照明システムを実現できる。
【００８０】
この照明システムにおいて、操作部２２は設定器２０の本体２１に回転自在に設けられ、操作部２２には操作位置を示す印２３が設けられる。本体２１が壁に取り付けられた状態で、印２３が上側になる位置に操作部２２を回転させた状態で、出力曲線が極大となるか又は変曲点を有するように制御部が電圧変換部の出力を制御してもよい。印２３が上側になる位置に操作部２２を操作すれば、出力電力が極大又は変曲点となって、電球色又は昼白色で点灯するから、電球色又は昼白色で点灯させる操作位置が判りやすくなる。
【００８１】
この照明システムにおいて、操作部２４は設定器２０の本体２１にスライド移動自在に設けられ、操作部２４には操作位置を示す印（突起２５）が設けられる。印が操作部２４の調整範囲における中央位置になるように操作部２４が操作された状態で、出力曲線が極大となるか又は変曲点を有するように制御部が電圧変換部の出力を制御してもよい。突起２５が調整範囲の中央位置にくるように操作部２４を操作すれば、出力電力が極大又は変曲点となって、電球色又は昼白色で点灯するから、電球色又は昼白色で点灯させる操作位置が判りやすくなる。
【００８２】
この照明システムにおいて、操作部は、設定器２０の本体２１に設けられたアップ操作用の第１ボタン２６とダウン操作用の第２ボタン２７を含み、導通角の設定値をレベル表示する表示部２８を備えてもよい。表示部２８の表示位置が表示範囲における中央位置になるように操作部を操作した状態で、出力曲線が極大となるか又は変曲点を有するように制御部が電圧変換部の出力を制御することも好ましい。第１ボタン２６及び第２ボタン２７を操作することによって、表示部２８に表示される導通角の設定値を表示範囲における中央位置に合わせた状態では、出力電力が極大又は変曲点となって、電球色又は昼白色で点灯するから、電球色又は昼白色で点灯させる操作位置が判りやすくなる。
（実施形態２）
実施形態２の点灯装置、及び、それを用いた照明装置、照明器具並びに照明システムについて図８〜図１６を参照して説明する。
【００８３】
本実施形態の点灯装置１は、図８に示すように、交流直流変換部２と、第２コンバータ回路５１ａ，５１ｂと、ＰＷＭ信号発生回路７と、平滑回路８ａ，８ｂと、第１制御回路９とを備える。また、本実施形態の点灯装置１は、第１電源回路１０と、起動回路１１と、第２制御回路１２と、第２電源回路１３と、フィルタ回路１４と、ドライブ回路５２ａ，５２ｂを、さらに備え、光源モジュール６ａ，６ｂを点灯させる。なお、本実施形態の点灯装置１は、２つの平滑回路８ａ，８ｂを備える点で実施形態１と相違し、それ以外は実施形態１と共通しているので、実施形態１と共通する構成要素には同一の符号を付して、その説明は省略する。
【００８４】
本実施形態において、光源モジュール６ａと光源モジュール６ｂとで照射光の色温度が互いに異なり、光源モジュール６ａからの照射光（色温度が約２０００Ｋ）と光源モジュール６ｂからの照射光（色温度が約８０００Ｋ）とを混色した光（混色光）が照射される。
【００８５】
設定器２０は、光源モジュール６ａからの照射光と光源モジュール６ｂからの照射光とを混色した光（混色光）の光量及び色温度を、ユーザが設定するために用いられる調光器である。設定器２０は、交流電源１００と直列に接続されたスイッチング素子を備え、このスイッチング素子の導通角を調整することによって設定信号を生成し、生成した設定信号を点灯装置１に出力する。
【００８６】
本実施形態の点灯装置１では、設定信号の導通角に比例して混色光の光量及び色温度を変化させており、図９に示すような調色・調光カーブにしたがって調光及び調色を行っている。ここで、導通角とは、設定器２０が備えるスイッチング素子が導通している位相角の範囲のことをいい、例えば図１１の時刻ｔ１以前は導通角が１５０度、時刻ｔ１以後は導通角が３０度となっている。
【００８７】
本実施形態の点灯装置１に用いられる設定器２０はリーディングエッジ方式であるが、設定器２０はトレーリングエッジ方式でもよい。トレーリングエッジ方式の場合、設定器２０は、交流電圧のゼロクロスから設定ボリュームで設定された位相角に達するまではスイッチング素子を導通させ、設定ボリュームで設定された位相角から次のゼロクロスまではスイッチング素子をオフさせる。これにより、交流電源電圧の半周期ごとに、設定ボリュームで設定された位相角から次のゼロクロスまで正弦波形の一部がカットされたような交流電圧が設定器２０から点灯装置１に出力される。
【００８８】
設定器２０から点灯装置１に入力された設定信号は、整流回路３によって全波整流された後にＰＷＭ信号発生回路７に入力される。図１０に、整流回路３から出力される電圧信号Ｖ１と、ＰＷＭ信号発生回路７から出力されるＰＷＭ信号Ｖ３と、平滑回路８ａの出力電圧Ｖ４と、平滑回路８ｂの出力電圧Ｖ５の波形図をそれぞれ示す。
【００８９】
ＰＷＭ信号発生回路７は、設定器２０から入力される設定信号の導通角に対応したデューティ比のＰＷＭ信号Ｖ３を出力する。ＰＷＭ信号発生回路７から出力されるＰＷＭ信号Ｖ３は、２つの平滑回路８ａ，８ｂ（平滑部、第２信号発生部）にそれぞれ入力されている。
【００９０】
平滑回路８ａは、例えばＰＷＭ信号発生回路７の出力端子と回路のグランドとの間に抵抗器とコンデンサとを直列に接続したＲＣ積分回路（図示せず）で構成され、コンデンサの両端にはＰＷＭ信号Ｖ３を平滑した電圧が発生する。したがって、平滑回路８ａは、ＰＷＭ信号Ｖ３のデューティ比に応じた電圧値の直流電圧Ｖ４を発生し、この直流電圧Ｖ４を第１制御回路９に出力する。
【００９１】
平滑回路８ｂも、平滑回路８ａと同様に、ＰＷＭ信号発生回路７の出力端子と回路のグランドとの間に抵抗器とコンデンサとを直列に接続したＲＣ積分回路（図示せず）で構成され、コンデンサの両端にはＰＷＭ信号Ｖ３を平滑した直流電圧が発生する。したがって、平滑回路８ｂは、ＰＷＭ信号Ｖ３のデューティ比に応じた電圧値の直流電圧Ｖ５を発生し、この直流電圧Ｖ５を第１制御回路９に出力する。
【００９２】
第１制御回路９は、平滑回路８ａの出力電圧Ｖ４、及び、平滑回路８ｂの出力電圧Ｖ５をそれぞれＡ／Ｄ変換して取り込むＡ／Ｄ変換部（図示せず）を備え、所定のタイミングで出力電圧Ｖ４，Ｖ５をＡ／Ｄ変換して取り込む。
【００９３】
第１制御回路９は、出力電圧Ｖ４，Ｖ５の取り込み値をもとに、第２コンバータ回路５１ａ，５１ｂの出力を制御し、光源モジュール６ａ，６ｂの光出力を変化させる。発光色の色温度が異なる光源モジュール６ａ，６ｂの光出力を変化させ、各光源モジュール６ａ，６ｂの出力光を混色させることで、図９に示す調光・調色カーブにしたがった出力光を照射させる。なお、図９に示す調光・調色カーブにおいて、光量が０％から９０％までの調光・調色カーブは、白熱灯の場合の調光カーブに一致するように設定されている。
【００９４】
本実施形態では、平滑回路８ａを構成するＲＣ積分回路の時定数に比べて、平滑回路８ｂを構成するＲＣ積分回路の時定数の方が大きい値に設定されている。
【００９５】
すなわち、平滑回路８ｂでは、出力電圧Ｖ５の電圧リップルが極力小さくなるように、その時定数が交流電圧の半周期よりも十分大きい値に設定されている。したがって、第１制御回路９が出力電圧Ｖ５を取り込むタイミングが多少ずれたとしても、出力電圧Ｖ５の取り込み値があまり変化しないから、第１制御回路９が出力電圧Ｖ５を取り込むタイミングの制約が緩和される。また、出力電圧Ｖ５の電圧リップルは十分小さい値になっているので、第１制御回路９において、出力電圧Ｖ５の取り込み値を平均化する必要が無く、平均化のための処理を不要にできる。また、電圧変動やノイズによって交流電源１００の電源電圧に歪みが重畳し、それによってＰＷＭ信号Ｖ３のデューティ比が多少変動しても、平滑回路８ｂの時定数は交流電圧の半周期よりも十分大きい値に設定されているから、出力電圧Ｖ５の変動が抑制される。
【００９６】
一方、平滑回路８ａでは、出力電圧Ｖ４の電圧リップルが多少大きくなっても、ＰＷＭ信号Ｖ３のデューティ比の変化に出力電圧Ｖ４の平均電圧がレスポンスよく追従できるよう、その時定数は交流電圧の半周期よりも大きいが、平滑回路８ｂの時定数よりも十分に小さい値に設定されている。したがって、ＰＷＭ信号Ｖ３のデューティ比の変化に応じて、平滑回路８ａの出力電圧Ｖ４の平均電圧が変化することになる。ところで、図１０に示すように、ＰＷＭ信号Ｖ３のハイ／ローの各期間で出力電圧Ｖ４は大きく変動しているため、出力電圧Ｖ４を取り込むタイミングによって、出力電圧Ｖ４をＡ／Ｄ変換した値が大きく変動する可能性がある。本実施形態では、第１制御回路９が、電圧信号Ｖ１の周波数と同期をとり、１周期内のほぼ同じタイミングで出力電圧Ｖ４をＡ／Ｄ変換しているので、取り込みのタイミングでＡ／Ｄ変換した値がばらつくのを抑制できる。
【００９７】
ここで、図１１に整流回路３から入力される電圧信号Ｖ１の一例を示し、時刻ｔ１以前では位相角が３０度の時点から次のゼロクロスまで電源電圧が入力されるので、電源電圧の導通角（電源電圧が供給される位相角の範囲）は１５０度となっている。一方、時刻ｔ１より後では位相角が１５０度の時点から次のゼロクロスまで電源電圧が供給されるので、電源電圧の導通角は３０度となっている。図１１には、電圧信号Ｖ１の導通角が１５０度から３０度に変化する前後での、平滑回路８ａの出力電圧Ｖ４と、平滑回路８ｂの出力電圧Ｖ５の波形図を示してある。平滑回路８ａの時定数は、平滑回路８ｂの時定数よりも小さい値に設定されているので、時刻ｔ１以後の出力電圧Ｖ４の平均電圧は、出力電圧Ｖ５の平均電圧に比べて、短時間で変化しており、ＰＷＭ信号Ｖ３のデューティ比の変化によく追従している。
【００９８】
第１制御回路９には、平滑回路８ａから出力電圧Ｖ４が入力され、平滑回路８ｂから出力電圧Ｖ５が入力される。第１制御回路９は、２つの出力電圧Ｖ４，Ｖ５に対して重み付けを行い、重み付けを行った後の出力電圧Ｖ４，Ｖ５から指令値Ｖ６を決定する。
【００９９】
本実施形態では、第１制御回路９は、出力電圧Ｖ４に重み係数ｎ（０≦ｎ≦１）を、出力電圧Ｖ５に重み係数（１−ｎ）をそれぞれ乗算した後、両者の平均を求めて指令値Ｖ６としている。すなわち、第１制御回路９は、以下の式（１）を用いて指令値Ｖ６を求める。
【０１００】
【数１】
2015092451.tif 000003
【０１０１】
第１制御回路９は、所定のタイミングで、平滑回路８ａから出力電圧Ｖ４を取り込み、平滑回路８ｂから出力電圧Ｖ５を取り込むと、式（１）を用いて指令値Ｖ６を求める。第１制御回路９はメモリ（図示せず）を備え、このメモリには、指令値Ｖ６に対して、第２コンバータ回路５１ａからの出力値、及び、第２コンバータ回路５１ｂからの出力値をそれぞれ関連付けしたテーブルが予め記憶されている。第１制御回路９は、式（１）を用いて指令値Ｖ６を求めると、メモリを参照して第２コンバータ回路５１ａ，５１ｂの出力値を求め、第２コンバータ回路５１ａ，５１ｂの出力を制御することによって、光源モジュール６ａ，６ｂの出力光を制御する。
【０１０２】
ここで、第１制御回路９は、出力電圧Ｖ４及び出力電圧Ｖ５の値から、重み係数ｎを決定している。
【０１０３】
出力電圧Ｖ４と出力電圧Ｖ５の差が所定の第１閾値以下である場合、ユーザが設定器２０を用いて導通角を変化させておらず、ＰＷＭ信号Ｖ３のデューティ比の変化が小さいと考えられるので、第１制御回路９は時定数が大きい平滑回路８ｂの重み付けを大きくする。すなわち、第１制御回路９は、出力電圧Ｖ５の重み係数（１−ｎ）が、出力電圧Ｖ４の重み係数ｎよりも大きくなるように、重み係数ｎの値を決定する。例えば第１制御回路９が重み係数ｎの値をゼロに設定すると、Ｖ６＝Ｖ５／２となり、時定数が大きい平滑回路８ｂの出力電圧Ｖ５によって指令値Ｖ６が決定される。そして、第１制御回路９は、この指令値Ｖ６をもとに、メモリ内のテーブルから第２コンバータ回路５１ａの出力値と第２コンバータ回路５１ｂの出力値をそれぞれ読み出す。第１制御回路９は、テーブルから読み出した第２コンバータ回路５１ａの出力値をドライブ回路５２ａに出力して、光源モジュール６ａの出力を変化させる。また、第１制御回路９は、テーブルから読み出した第２コンバータ回路５１ｂの出力値をドライブ回路５２ｂに出力して、光源モジュール６ｂの出力を変化させる。第１制御回路９が光源モジュール６ａ，６ｂの出力をそれぞれ変化させることで、混色光の色温度及び光出力が調整される。
【０１０４】
平滑回路８ｂは、平滑回路８ａに比べて時定数が大きい値に設定されているので、平滑回路８ｂの出力電圧Ｖ５は、平滑回路８ａの出力電圧Ｖ４に比べてリップル電圧が小さく、ノイズの影響が小さくなっている。第１制御回路９は、出力電圧Ｖ５の重み付けを大きくして指令値Ｖ６を求めているので、電圧変動やノイズなどの影響により、光出力に意図しない変動が発生するのを抑制できる。
【０１０５】
一方、出力電圧Ｖ４と出力電圧Ｖ５の差が第１閾値を超えた場合、ユーザが設定器２０を用いて導通角を変化させることによって、ＰＷＭ信号Ｖ３のデューティ比が大きく変化し、それに追随して平滑回路８ａの出力が変化していると考えられる。この場合、第１制御回路９は、時定数が小さい平滑回路８ａの重み付けを大きくしており、出力電圧Ｖ４の重み係数ｎが、出力電圧Ｖ５の重み係数（１−ｎ）よりも大きくなるように、重み係数ｎの値を例えば０．６に設定する。重み係数ｎの値が０．６に設定されると、出力Ｖ６は次の式（２）により求められる。
【０１０６】
【数２】
2015092451.tif 000004
【０１０７】
このように、ＰＷＭ信号Ｖ３のデューティ比が大きく変化する場合、時定数が小さい平滑回路８ａの重み係数を、時定数が大きい平滑回路８ｂの重み係数よりも大きくしているので、ＰＷＭ信号Ｖ３のデューティ比の変化に対して、指令値Ｖ６の追従性が向上する。第１制御回路９は、指令値Ｖ６をもとに第２コンバータ回路５１ａ，５１ｂの出力を変化させており、光源モジュール６ａ，６ｂの出力を混色した混色光の光量及び色温度を調整する。
【０１０８】
なお、本実施形態では出力電圧Ｖ４と出力電圧Ｖ５の差が第１閾値以下である場合と、第１閾値を超えている場合とで、重み係数ｎを２通りに切り替えているが、出力電圧Ｖ４と出力電圧Ｖ５の差の大きさに応じて、重み係数ｎを連続的に変化させてもよい。
【０１０９】
以上のように、第１制御回路９は、整流回路３から出力される電圧信号Ｖ１の導通角の変化に、第２コンバータ回路５１ａ，５１ｂの出力を追随させているから、光源モジュール６ａ，６ｂの光出力が追随して変化する。したがって、ユーザが設定器２０を操作してから、光出力が変化するまでの応答遅れを短くでき、ユーザが制御の遅れを感じにくくなる。
【０１１０】
また本実施形態では、設定器２０を用いて電圧信号Ｖ１の実効値を急減させた場合に、第１コンバータ回路４の出力電圧Ｖ２が、光源モジュール６ａ，６ｂを点灯させるのに必要な最低動作電圧を下回らないように制御している。その制御内容について図１２及び図１３を参照して説明する。
【０１１１】
図１２の実線Ｌ１は、図９に示した調色・調光カーブの縦軸を第２コンバータ回路５１ａ，５１ｂの出力電力とし、横軸を電圧信号Ｖ１の導通角又は実効値、或いは、指令値Ｖ６に置き換えて示した、点灯装置１の静特性である。また、図１２の実線Ｌ２は、電圧信号Ｖ１の実効値に対して第１コンバータ回路４から供給可能な最大電力値を示している。
【０１１２】
図１３の時刻ｔ１以前では、電圧信号Ｖ１の導通角が１５０度に設定されており、第２コンバータ回路５１ａ，５１ｂの出力電力の合計は、第１コンバータ回路４から供給可能な最大電力を下回っているため、第１コンバータ回路４の電圧Ｖ２は一定に保たれる。
【０１１３】
一方、図１３の時刻ｔ１において、ユーザが設定器２０を操作して、設定信号Ｖ１の導通角を１５０度から３０度に急減させると、時定数の違いによって平滑回路８ａの出力電圧Ｖ４と平滑回路８ｂの出力電圧Ｖ５との差が大きくなる。ここで、第１制御回路９が、時定数が大きい平滑回路８ｂの出力電圧Ｖ５の重み付けを大きくして、指令値Ｖ６の演算を行っていると、第２コンバータ回路５１ａ，５１ｂの出力電力を変化させる制御が遅れる可能性がある。第２コンバータ回路５１ａ，５１ｂの出力電力を変化させる制御が遅れると、第２コンバータ回路５１ａ，５１ｂの出力電力の合計が、第１コンバータ回路４から供給可能な最大電力（図１２の実線Ｌ２）を上回る可能性がある（図１２中に斜線で示した領域Ｗ１）。第１コンバータ回路４の出力電力が不足している状態が継続すると、図１３に示すように、第１コンバータ回路４の出力電圧Ｖ２が所定の電圧値を維持できずに減少し続け、いずれは光源モジュール６ａ，６ｂを点灯させるのに必要な最低動作電圧を下回ることになる。
【０１１４】
本実施形態では、第１制御回路９が、出力電圧Ｖ４と出力電圧Ｖ５との差を所定の第１閾値と比較し、出力電圧Ｖ４と出力電圧Ｖ５との差が第１閾値以上になると、時定数の小さい平滑回路８ａの出力電圧Ｖ４の重み係数を大きくするように重み付けしている。したがって、第１制御回路９は、第２コンバータ回路５１ａ，５１ｂの出力電力の合計値を、電圧信号Ｖ１の導通角が３０度の場合に出力すべき出力電力の合計値に、短時間で収束させることができる。よって、第２コンバータ回路５１ａ，５１ｂの出力電力の合計値が、第１コンバータ回路４から供給可能な最大電力よりも小さくなる状態を実現でき、第１コンバータ回路４の出力電圧Ｖ２は図１３に実線で示したものとなる。これにより、ユーザが設定器２０を操作して、光源モジュール６ａ，６ｂからの光出力を変動させた場合でも、第１コンバータ回路４の出力電力が不足することによる光出力のちらつきが起こりにくくなり、ユーザが設定した点灯状態（調光或いは調色の状態）に移行させることができる。
【０１１５】
上述のように、本実施形態の点灯装置１において、時定数が互いに異なる値にそれぞれ設定された複数の平滑部（平滑回路８ａ，８ｂ）を備えてもよい。この場合、制御部（第１制御回路９）は、複数の平滑部の出力に対して重み付けを行い、重み付けを行った複数の平滑部の出力から決定した指令値に基づいて電圧変換部の出力を制御することも好ましい。第１制御回路９は、時定数が異なる平滑回路８ａ，８ｂの出力電圧Ｖ４，Ｖ５に重み付けを行っており、時定数が小さい平滑回路８ａの重み付けを大きくすれば、設定信号の変化に対して光出力の変化をレスポンスよく追従させることができる。また第１制御回路９が、時定数の大きい平滑回路８ｂの重み付けを大きくすれば、電圧変動やノイズなどによって交流電源の電源電圧に歪みが重畳したとしても、光出力の変化を抑制できる。
【０１１６】
また、本実施形態の点灯装置１において、第１制御回路９は、設定器２０が導通角を変化させていない状態では、時定数が相対的に大きい平滑回路８ｂの方が、時定数が相対的に小さい平滑回路８ａに比べて、出力の重み付けが大きくなるように重み付けを行うことも好ましい。また、第１制御回路９は、設定器２０が導通角を変化させた状態では、時定数が相対的に小さい平滑回路８ａの方が、時定数が相対的に大きい平滑回路８ｂに比べて、出力の重み付けが大きくなるように重み付けを行うことも好ましい。
【０１１７】
設定器２０が導通角を変化させていない状態では、時定数が大きい平滑回路８ｂの重み付けを大きくしているので、電圧変動やノイズなどによって交流電源の電源電圧に歪みが重畳したとしても、光出力の変化を抑制できる。また、設定器２０が導通角を変化させた状態では、時定数が小さい平滑回路８ａの重み付けを大きくしているので、設定信号の変化に対して光出力の変化をレスポンスよく追従させることができる。
【０１１８】
また、本実施形態の点灯装置１において、第１制御回路９は、複数の平滑回路８ａ，８ｂの出力の差と第１閾値との大小の比較結果、及び、交流直流変換部２の出力変動と第２閾値との大小の比較結果のうち少なくとも何れか一方の比較結果に基づいて、複数の平滑回路８ａ，８ｂの出力に対して重み付けを行うことも好ましい。
【０１１９】
この場合、図１４に示すように、第１制御回路９には、第１コンバータ回路４の出力電圧Ｖ２をＡ／Ｄ変換して取り込むためのＡ／Ｄ変換部（図示せず）が設けられている。そして、第１制御回路９は、平滑回路８ａの出力電圧Ｖ４と平滑回路８ｂの出力電圧Ｖ５との差が第１閾値以上であるという条件、及び、第１コンバータ回路４の出力電圧Ｖ２の出力変動が第２閾値以上であるという条件のうち、少なくとも何れか一方の条件が成立すると、設定器２０によって導通角が変化させられたと判断する。
【０１２０】
図１５は、時刻ｔ１１に設定器２０を用いて導通角を１５０度から３０度に切り替えた場合の回路動作を説明する波形図である。
【０１２１】
時刻ｔ１１以前は、設定器２０から入力される設定信号、すなわち整流回路３の出力電圧Ｖ１の導通角が１５０度に設定されている。この場合、第２コンバータ回路５１ａ，５１ｂの出力電力の合計は、第１コンバータ回路４から供給可能な最大電力を下回っているため、第１コンバータ回路４の出力電圧Ｖ２は所定電圧値に保たれる。
【０１２２】
時刻ｔ１１においてユーザが設定器２０を操作して電圧信号Ｖ１の導通角を１５０度から３０度に切り替えた場合、平滑回路８ａの時定数は、平滑回路８ｂの時定数よりも小さい値に設定されているので、平滑回路８ｂの出力電圧Ｖ５は緩やかに減少するのに比べ、平滑回路８ａの出力電圧Ｖ４は急減する。ここで、第１制御回路９が、時定数の大きい平滑回路８ｂの出力電圧Ｖ５の重み付けを大きくして、指令値Ｖ６の演算を行った場合、第２コンバータ回路５１ａ，５１ｂの出力電力の変化が遅くなる。そのため、第２コンバータ回路５１ａ，５１ｂの出力電力の合計が、第１コンバータ回路４から供給可能な最大電力（図１２の実線Ｌ２）を上回る可能性がある（図１２中に斜線で示した領域Ｗ１）。この場合、図１５に点線で示すように、時刻ｔ１１以降に第１コンバータ回路４の出力電圧Ｖ２が急激に低下する。そして、第１コンバータ回路４の出力電力が不足している状態が継続すると、図１５中に点線で示すように出力電圧Ｖ２が減少し続け、いずれは、光源モジュール６ａ，６ｂを点灯させるのに必要な最低動作電圧を下回ることになる。
【０１２３】
そこで、第１制御回路９は、出力電圧Ｖ４と出力電圧Ｖ５との差を所定の第１閾値と比較した結果をもとに、設定器２０によって導通角が変更されたか否かを判断し、導通角が変更されたと判断した場合は平滑回路８ａ，８ｂの出力に対する重み付けを変更する。具体的には、第１制御回路９は、出力電圧Ｖ４と出力電圧Ｖ５との差が第１閾値以上になるという条件、及び、第１コンバータ回路４の出力電圧Ｖ２の出力変動が第２閾値ｄＶ１以上になるという条件のうち、少なくとも何れか一方の条件が成立すると重み付けを変更する。
【０１２４】
図１５の例では、時刻ｔ１２において出力電圧Ｖ２の出力変動が第２閾値ｄＶ１以上になっており、第１制御回路９は、出力電圧Ｖ２の出力変動が第２閾値ｄＶ１以上になることから、設定器２０によって導通角が変更されたと判断する。このとき、第１制御回路９は、時定数が相対的に小さい平滑回路８ａの出力電圧Ｖ４の重み係数を大きくするように重み付けを行い、式（１）で求めた指令値Ｖ６に基づいて第２コンバータ回路５１ａ，５１ｂの出力を制御する。これにより、第２コンバータ回路５１ａ，５１ｂの出力電力の合計値が、電圧信号Ｖ１の導通角が３０度の場合に出力すべき出力電力の合計値に短時間で収束する。よって、第２コンバータ回路５１ａ，５１ｂの出力電力の合計値が、第１コンバータ回路４の最大出力より小さくなり、第１コンバータ回路４の出力電圧Ｖ２は、図１５に実線で示すように、一時的に減少するものの、その後は回復して一定電圧となる。
【０１２５】
これにより、ユーザが設定器２０を操作して、出力光の光量及び光色を低下させた場合でも、第１コンバータ回路４の出力電力が足りた状態になるから、出力光のちらつきを低減することができる。
【０１２６】
上述のように、図１４に回路構成を示した点灯装置１では、第１制御回路９（制御部）は、複数の平滑回路８ａ，８ｂ（第２信号発生部）の出力の差と第１閾値との大小を比較した結果、及び、交流直流変換部２の出力変動と第２閾値との大小を比較した結果に基づいて、複数の平滑回路８ａ，８ｂの出力に対して重み付けを行う。具体的には、複数の平滑回路８ａ，８ｂ（第２信号発生部）の出力の差が第１閾値以上になるという条件、及び、交流直流変換部２の出力変動が第２閾値以上になるという条件のうち、少なくとも何れか一方の条件が成立すると、第１制御回路９は設定器２０によって導通角が変化させられたと判断し、複数の平滑回路８ａ，８ｂの出力に対して重み付けを行う。
【０１２７】
ここで、第１コンバータ回路４の出力電圧Ｖ２が低下したことは、第２コンバータ回路５１ａ，５１ｂの出力電力の合計値が、第１コンバータ回路４が出力可能な最大電力を上回る状態が発生したことを示し、電圧信号Ｖ１の導通角が減少したことを示している。この場合、第１制御回路９は、時定数の小さい平滑回路８ａの重み付けを大きくすることで、第２コンバータ回路５１ａ，５１ｂの出力を、電圧信号Ｖ１の導通角に対応した大きさに短時間で収束させることができる。したがって、第２コンバータ回路５１ａ，５１ｂの出力電力の合計値が、第１コンバータ回路４が出力可能な最大電力以下に抑制され、第１コンバータ回路４の出力電圧Ｖ２が所定電圧値に維持される。
【０１２８】
一方、第１コンバータ回路４の出力電圧Ｖ２にほとんど変化がないのに、平滑回路８ａ，８ｂの出力電圧Ｖ４，Ｖ５の差が第１閾値以上になるということは、時定数の小さい平滑回路８ａの出力電圧Ｖ４がノイズなどによって変動したと考えられる。この場合、第１制御回路９は、時定数の大きい平滑回路８ｂの重み付けを大きくすることで、ユーザの意図と異なって光出力が変動するのを抑制できる。
【０１２９】
なお、本実施形態で説明した点灯装置１は複数（例えば２個）の光源モジュール６ａ，６ｂを備え、複数の光源モジュール６ａ，６ｂの各々は、他の光源モジュールと色温度が異なる固体発光素子（発光ダイオード６１，６２）を備えている。色温度が異なる光源モジュール６ａ，６ｂの光出力を変化させることで、調光と調色の両方を行うことができる。
【０１３０】
なお、発光ダイオード６１および発光ダイオード６２は、それぞれＬＥＤチップが発する光をそのまま利用するものであってもよいし、波長変換部材により、ＬＥＤチップの光の一部を波長変換して、ＬＥＤチップが発する光と波長変換部材が発する光とを混色した光を利用するものであってもよい。この場合、発光ダイオード６１および発光ダイオード６２に同じＬＥＤチップを用いても、異なる波長変換部材を用いることで、発光ダイオード６１および発光ダイオード６２が互いに異なる色温度の光を発することができる。
【０１３１】
また、本実施形態の点灯装置１において、複数の光源モジュール６ａ，６ｂの各々が、他の光源モジュールと固体発光素子の順方向電圧の合計値が異なるようにしてもよい。順方向電圧が異なる光源モジュール６ａ，６ｂの光出力を変化させることで、調光制御を行うことができる。
【０１３２】
なお、本実施形態で例示した光源モジュール６ａ，６ｂの色温度や、出力光の調光・調色カーブは一例であって、光源モジュール６ａ，６ｂの色温度や、出力光の調光・調色カーブは本実施形態に限定されず、適宜変更が可能である。また、設定器２０から出力される設定信号の導通角に対して、第１コンバータ回路４から供給可能な電力の特性カーブ（図１２参照）も一例であり、また簡略化して図示しており、図１２の特性に限定されない。また光源モジュール６ａ，６ｂは固体発光素子として発光ダイオードを備えているが、固体発光素子として発光ダイオード以外の素子、例えば電界発光素子（Electroluminescence）などの素子を備えていてもよい。
【０１３３】
次に、本実施形態の点灯装置１を用いた照明器具３０の一例について図１６を参照して説明する。
【０１３４】
本実施形態の照明器具３０は、例えば、天井材４０に埋め込み配置される。
【０１３５】
照明器具３０は、複数の光源モジュール６ａ，６ｂを収納する第１ケース３１と、点灯装置１の構成部品を収納する第２ケース３２を備える。
【０１３６】
第１ケース３１は、例えば鉄、アルミニウム、ステンレスなどの金属で、下面が開口した円筒状に形成されている。第１ケース３１の下端部には、径方向における外向きに突出する外鍔３３が一体に設けられている。第１ケース３１の底壁（図１６における上側壁）の内面には、光源モジュール６ａ，６ｂが実装された実装基板３４が、光源モジュール６ａ，６ｂを開口側に向けた状態で取り付けられている。第１ケース３１の開口部分は光拡散板３５で塞がれており、光源モジュール６ａ，６ｂから照射された光は光拡散板３５を透過して、外部に照射される。光拡散板３５は光を拡散させる機能を有しており、光源モジュール６ａ，６ｂから照射された光は光拡散板３５によって拡散され、所望の照明領域に照射される。
【０１３７】
第１ケース３１は、天井材４０に形成された取付用の孔４１に下側から挿入され、外鍔３３の上面を孔４１の周縁部に接触させた状態で、天井材４０に固定される。
【０１３８】
第２ケース３２は、例えば鉄、アルミニウム、ステンレスなどの金属で、箱状に形成されており、天井材４０の上側に載置されている。第２ケース３２の下部の両端にはスタンド３６が取り付けられており、スタンド３６を介して天井材４０の上面に第２ケース３２が載置された状態では、第２ケース３２の下面と天井材４０の上面との間に隙間が設けられている。
【０１３９】
第１ケース３１からは、光源モジュール６ａ，６ｂに電気的に接続された電線３７が引き出され、電線３７の先端にはコネクタ３７ａが接続されている。また、第２ケース３２からは、第２コンバータ回路５１ａ，５１ｂの出力端に電気的に接続された電線３８が引き出され、電線３８の先端にはコネクタ３８ａが接続されている。コネクタ３７ａとコネクタ３８ａとが接続されると、第２コンバータ回路５１ａと光源モジュール６ａの間が電気的に接続され、第２コンバータ回路５１ｂと光源モジュール６ｂの間が電気的に接続される。
【０１４０】
本実施形態の照明器具３０は、上述した点灯装置１を備えており、意図しない出力光の変動を抑制したり、出力光の応答性を改善した照明器具を実現できる。
【０１４１】
また本実施形態の照明システムは、上述した点灯装置１と、交流電源１００から入力される交流電圧の導通角を調整することによって生成した設定信号を点灯装置１に出力する設定器２０とを備える。照明システムは、上述した点灯装置１を備えているので、意図しない出力光の変動を抑制したり、出力光の応答性を改善した照明システムを実現できる。
【０１４２】
なお、本発明の精神と範囲に反することなしに、広範に異なる実施形態を構成することができることは明白なので、この発明は、特定の実施形態に制約されない。
【符号の説明】
【０１４３】
１  点灯装置
２  交流直流変換部
３  整流回路
４  第１コンバータ回路
６ａ，６ｂ  光源モジュール
７  ＰＷＭ信号発生回路（ＰＷＭ信号発生部）
８ａ，８ｂ，８ｃ  平滑回路（平滑部）
９  第１制御回路（制御部）
３０  照明器具
５１ａ，５１ｂ  第２コンバータ回路（電圧変換部）
２０  設定器
１００  交流電源
【図１】
2015092451.tif 000005
【図２】
2015092451.tif 000006
【図３】
2015092451.tif 000007
【図４】
2015092451.tif 000008
【図５】
2015092451.tif 000009
【図６】
2015092451.tif 000010
【図７】
2015092451.tif 000011
【図８】
2015092451.tif 000012
【図９】
2015092451.tif 000013
【図１０】
2015092451.tif 000014
【図１１】
2015092451.tif 000015
【図１２】
2015092451.tif 000016
【図１３】
2015092451.tif 000017
【図１４】
2015092451.tif 000018
【図１５】
2015092451.tif 000019
【図１６】
2015092451.tif 000020